(57)【特許請求の範囲】
【請求項１】
光を射出する光源装置本体と、前記光源装置本体を収納する光源装置用筐体とを備える光源装置であって、
前記光源装置本体は、
光源駆動装置と電気的に接続させるためのコネクタを備え、
前記光源装置用筐体は、
前記光源装置を把持させるための取っ手と、
前記コネクタを保持するコネクタ保持手段とを備え、
前記取っ手は、前記コネクタ保持手段に接続され、
前記コネクタの少なくとも一部は、前記取っ手に対して前記コネクタの抜出方向側に位置していることを特徴とする光源装置。
【請求項２】
請求項１に記載の光源装置において、
前記コネクタは、
前記コネクタの抜出方向と交差する方向に突出する突出部を備え、
前記コネクタ保持手段は、
前記突出部を支持する支持部を備え、
前記支持部には、
前記抜出方向に沿って前記突出部と嵌合する凹部と、
前記凹部に貫通する貫通孔とが形成され、
前記取っ手は、
前記貫通孔に挿通される軸部を備え、
前記突出部は、前記軸部が前記貫通孔に挿通された状態で前記軸部にて係止され、前記突出部の少なくとも一部は、前記軸部に対して前記抜出方向側に位置することを特徴とする光源装置。
【請求項３】
請求項１または請求項２に記載の光源装置において、
前記取っ手は、
前記光源装置用筐体に沿って延出する形状とされ、前記光源装置用筐体を挟んで対向する両端には、互いに平行、かつ、異なる中心軸を有する軸部がそれぞれ設けられ、
前記各軸部は、前記光源装置用筐体にて回転自在に支持されることを特徴とする光源装置。
【請求項４】
請求項１から請求項３のいずれかに記載の光源装置と、前記光源装置から射出された光を、入力される画像情報に応じて変調して画像光を形成する光変調装置と、前記光変調装置にて形成された画像光を拡大投射する投射光学装置とを備えることを特徴とするプロジェクタ。
【発明の詳細な説明】
【技術分野】
【０００１】
本発明は、光源装置、及びプロジェクタに関する。
【背景技術】
【０００２】
従来、光源ランプ、及び光源ランプから射出される光を一定の射出方向に揃えるリフレクタを有する光源装置本体と、光源装置本体を収納する光源装置用筐体とを備える光源装置、及びこのような光源装置を用いたプロジェクタが知られている（例えば、特許文献１参照）。
特許文献１に記載の光源装置は、光源駆動装置と電気的に接続させるためのコネクタを備えている。このコネクタは、光源装置をプロジェクタの筐体に取り付ける際に、プロジェクタの筐体に設けられたコネクタに接続される。
また、ハウジング（光源装置用筐体）は、光源装置をプロジェクタから取り外す際に把持できる突起を備えている。そして、プロジェクタの使用者は、この突起を把持して光源装置をプロジェクタの筐体から取り外す。
【０００３】
【特許文献１】特開２００５−２８４１２０号公報
【発明の開示】
【発明が解決しようとする課題】
【０００４】
しかしながら、特許文献１に記載の光源装置では、コネクタの位置と、突起の位置とが離間しており、プロジェクタの使用者が突起を把持して光源装置を取り外す際に、光源装置に付加する力がコネクタに十分に伝わらないので、コネクタを抜き出しにくく、ひいては光源装置をプロジェクタから取り外しにくいという問題がある。
【０００５】
本発明の目的は、使用者による力をコネクタに十分に伝えることができ、取り外しやすい光源装置、及びプロジェクタを提供することにある。
【課題を解決するための手段】
【０００６】
本発明の光源装置は、光を射出する光源装置本体と、前記光源装置本体を収納する光源装置用筐体とを備える光源装置であって、前記光源装置本体は、光源駆動装置と電気的に接続させるためのコネクタを備え、前記光源装置用筐体は、前記光源装置を把持させるための取っ手と、前記コネクタを保持するコネクタ保持手段とを備え、前記取っ手は、前記コネクタ保持手段に接続され、前記コネクタの少なくとも一部は、前記取っ手に対して前記コネクタの抜出方向側に位置していることを特徴とする。
【０００７】
このような構成によれば、光源装置を取り外す際に把持する取っ手は、コネクタを保持するコネクタ保持手段に接続されているので、使用者による力をコネクタに十分に伝えることができ、コネクタを容易に抜き出すことができる。したがって、光源装置を取り外しやすくすることができる。
【０００８】
本発明では、前記コネクタは、前記コネクタの抜出方向と交差する方向に突出する突出部を備え、前記コネクタ保持手段は、前記突出部を支持する支持部を備え、前記支持部には、前記抜出方向に沿って前記突出部と嵌合する凹部と、前記凹部に貫通する貫通孔とが形成され、前記取っ手は、前記貫通孔に挿通される軸部を備え、前記突出部は、前記軸部が前記貫通孔に挿通された状態で前記軸部にて係止され、前記突出部の少なくとも一部は、前記軸部に対して前記抜出方向側に位置することが好ましい。
【０００９】
このような構成によれば、使用者が取っ手を把持し、コネクタの抜出方向に力を付加すると、使用者による力は、取っ手の軸部に対してもコネクタの抜出方向に働く。そして、コネクタの突出部の少なくとも一部は、軸部に対してコネクタの抜出方向側に位置するので、軸部に対して働く力は、突出部に対してもコネクタの抜出方向に働き、ひいてはコネクタを抜き出すように働く。したがって、使用者による力をコネクタに直接伝えることができ、光源装置を更に取り外しやすくすることができる。
【００１０】
なお、突出部の少なくとも一部を軸部に対してコネクタの抜出方向側に位置するための構成としては、例えば、コネクタの抜出方向に向かって凹む凹部を支持部に設け、コネクタの抜出方向とは反対側に軸部を配置し、凹部、及び軸部にて突出部を挟持する構成とすることができる。
また、例えば、突出部において、支持部に形成された貫通孔に対応する位置に孔を形成し、貫通孔、及び突出部に形成された孔に軸部を挿通する構成とすることができる。
【００１１】
本発明では、前記取っ手は、前記光源装置用筐体に沿って延出する形状とされ、前記光源装置用筐体を挟んで対向する両端には、互いに平行、かつ、異なる中心軸を有する軸部がそれぞれ設けられ、前記各軸部は、前記光源装置用筐体にて回転自在に支持されることが好ましい。
【００１２】
このような構成によれば、各軸部は、互いに平行、かつ、異なる中心軸を有しているので、付加を加えて各軸部を回転させるように取っ手を回転させると、取っ手には捩れが生じる。このため、取っ手の位置は、加えられた付加を取り除くことで元の状態に戻ることとなる。
したがって、例えば、コネクタの抜出方向に向かって起立するように取っ手を構成した場合には、付加を加えて取っ手を回転させて傾斜させた状態とすることで光源装置を小型化することができる。また、加えられた付加を取り除くことで取っ手は元の状態、すなわち抜出方向に向かって起立した状態に戻るので、使用者は取っ手を使用する際に把持しやすくなる。
【００１３】
本発明のプロジェクタは、前述した光源装置と、前記光源装置から射出された光を、入力される画像情報に応じて変調して画像光を形成する光変調装置と、前記光変調装置にて形成された画像光を拡大投射する投射光学装置とを備えることを特徴とする。
本発明では、プロジェクタは、前述した光源装置を備えているので、前述した光源装置と同様の作用効果を享受できる。
【発明を実施するための最良の形態】
【００１４】
以下、本発明の一実施形態を図面に基づいて説明する。
〔プロジェクタの概略構成〕
図１は、プロジェクタ１の概略構成を示す模式図である。
プロジェクタ１は、光源から射出される光を画像情報に応じて変調してカラー画像（画像光）を形成し、このカラー画像をスクリーン等の投射面（図示略）上に拡大投射する。このプロジェクタ１は、図１に示すように、略直方体状の外装筐体２と、投射レンズ３と、光学ユニット４等を備える。
投射光学装置としての投射レンズ３は、複数のレンズを組み合わせた組レンズとして構成され、後述する光学ユニット４にて形成されたカラー画像をスクリーン等の投射面上に拡大投射する。
【００１５】
なお、図１において、外装筐体２内における投射レンズ３、及び光学ユニット４以外の空間には、プロジェクタ１内部に空気を吸気する吸気装置８１、及びプロジェクタ１内部の空気を排気する排気装置８２で構成され、プロジェクタ１内部の各構成部材を冷却する冷却ファン等を備えた冷却ユニット８、プロジェクタ１内部の各構成部材に電力を供給する電源ユニット９、後述する光源装置４１を駆動するバラストユニット１０（光源駆動装置）、及びプロジェクタ１内部の各構成部材を制御する制御ユニット１１等が配置されている。
【００１６】
光学ユニット４は、前述した制御ユニットによる制御の下、光源から射出された光を光学的に処理することで画像情報に応じたカラー画像を形成するユニットである。この光学ユニット４は、光源装置４１と、照明光学装置４２と、色分離光学装置４３と、リレー光学装置４４と、光学装置４５と、これらの各光学部品４１〜４５を内部に設定された照明光軸Ａに対する所定位置に配置する光学部品用筐体４６とを備える。
【００１７】
光源装置４１は、光を射出する光源ランプ４１１、及び光源ランプ４１１から射出される光を一定の射出方向に揃えるリフレクタ４１２を有する光源装置本体４１Ａと、リフレクタ４１２にて射出方向が揃えられた光を平行化する平行化凹レンズ４１３とを備える。そして、平行化凹レンズ４１３にて平行化された光は、照明光学装置４２に向けて射出される。
また、光源装置４１は、光学部品用筐体４６に接続するとともに、これらの各部材４１１〜４１３を内部に収納するランプハウジング４１４を備える。そして、これらの各部材４１１〜４１３は、ランプハウジング４１４に収納配置されることで、光学部品用筐体４６に対する所定位置（光源装置４１から射出される光の光軸と光学部品用筐体４６内に設定された照明光軸Ａとが一致する位置）に位置決めされる。なお、光源装置４１については後に詳述する。
【００１８】
照明光学装置４２は、第１レンズアレイ４２１、第２レンズアレイ４２２、偏光変換素子４２３、及び重畳レンズ４２４を備える。そして、光源装置４１から射出された光は、第１レンズアレイ４２１によって複数の部分光に分割され、第２レンズアレイ４２２の近傍で結像する。第２レンズアレイ４２２から射出された各部分光は、その中心軸（主光線）が偏光変換素子４２３の入射面に垂直となるように入射し、偏光変換素子４２３にて略１種類の直線偏光として射出される。偏光変換素子４２３から直線偏光として射出され、重畳レンズ４２４を介した複数の部分光は、光学装置４５の後述する３つの光変調装置４５１上で重畳する。
【００１９】
色分離光学装置４３は、２つのダイクロイックミラー４３１，４３２、及び反射ミラー４３３を備え、照明光学装置４２から射出された複数の部分光を赤、緑、青の３色の色光に分離する機能を有する。
リレー光学装置４４は、入射側レンズ４４１、リレーレンズ４４３、及び反射ミラー４４２，４４４を備え、色分離光学装置４３にて分離された各色光を、光学装置４５の後述する各光変調装置４５１まで導く機能を有する。
【００２０】
光学装置４５は、入射した光を画像情報に応じて変調してカラー画像を形成するものである。この光学装置４５は、３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される射出側偏光板４５３と、クロスダイクロイックプリズム４５４とを備える。
【００２１】
各入射側偏光板４５２は、偏光変換素子４２３で揃えられた偏光方向と略同一の偏光方向を有する光のみ透過させ、その他の光を吸収するものであり、透光性基板上に偏光膜が貼付されて構成されている。
各光変調装置４５１は、一対の透明なガラス基板に電気光学物質である液晶が密閉封入された構成を有し、前述した制御ユニットからの駆動信号によって液晶の配向状態が制御されることで入射側偏光板４５２から射出された光の偏光方向を変調する。
各射出側偏光板４５３は、入射側偏光板４５２と略同様の機能を有し、光変調装置４５１にて変調された光のうち、一定の偏光方向を有する光を透過し、その他の光を吸収する。
【００２２】
クロスダイクロイックプリズム４５４は、各射出側偏光板４５３から射出された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これらの誘電体多層膜は、光変調装置４５１Ｇから射出され射出側偏光板４５３を介した色光を透過し、光変調装置４５１Ｒ，４５１Ｂから射出され射出側偏光板４５３を介した各色光を反射する。このようにして、各色光が合成されてカラー画像が形成される。そして、クロスダイクロイックプリズム４５４で形成されたカラー画像は、前述した投射レンズ３にて拡大投射される。
【００２３】
〔光源装置の詳細構成〕
図２は、光源装置４１を斜め前方側から見た分解斜視図である。図３は、光源装置４１を斜め後方側から見た分解斜視図である。なお、図２、及び図３では、照明光軸Ａ（図１参照）をＺ軸とし、このＺ軸に直交する２軸をそれぞれＸ軸、及びＹ軸として説明する。以下の図面についても同様である。
光源装置本体４１Ａは、前述した光源ランプ４１１、及びリフレクタ４１２の他、図２、及び図３に示すように、光源ランプ４１１における各リード線４１１Ａと接続する略直方体状のコネクタ４１５を備える。
コネクタ４１５は、バラストユニット１０と、光源装置４１とを電気的に接続させるためのものであり、光源装置４１を光学部品用筐体４６（図１参照）に取り付けることで光学部品用筐体４６に設けられたコネクタ（図示略）と接続され、接続されることでバラストユニット１０から光源ランプ４１１に電力が供給される。
【００２４】
光源装置用筐体としてのランプハウジング４１４は、図２、及び図３に示すように、光源装置本体４１Ａによる光の射出方向Ｂ側（＋Ｚ軸方向側）に配設される第１ハウジング５と、射出方向Ｂとは反対側（−Ｚ軸方向側）に配設される第２ハウジング６と、第１ハウジング５、及び第２ハウジング６の間に介在配置される付勢部材７とを備える。
第１筐体としての第１ハウジング５は、略角筒状に形成され、光源装置本体４１Ａの前方側（＋Ｚ軸方向側）を覆う部材である。この第１ハウジング５における前面（＋Ｚ軸方向側の面）には、図２に示すように、略円形状の開口部５１が形成され、この開口部５１には、平行化凹レンズ４１３が嵌め込まれて固定されている。
【００２５】
また、第１ハウジング５における上面（＋Ｙ軸方向側の面）前方側には、上方側（＋Ｙ軸方向側）に向かって延出した後、前方側に向かって延出する２つの延出部５２がＸ軸方向の両端にそれぞれ形成されている。そして、各延出部５２の上面には、略中央部分に挿通孔（図示略）が形成され、光源装置本体４１Ａは、この挿通孔に挿通されたネジ５３を光学部品用筐体４６に設けられたネジ孔（図示略）に螺合させることで光学部品用筐体４６に固定される。
さらに、第１ハウジング５における後方側（−Ｚ軸方向側）の端部には、図３に示すように、略矩形枠状の開口部５４が形成されている。この開口部５４の四隅部分には、第２ハウジング６に固定される第１固定部５４１がそれぞれ設けられている。そして、各第１固定部５４１には、Ｚ軸方向に沿ってネジ孔５４１Ａがそれぞれ形成されている。
【００２６】
第２筐体としての第２ハウジング６は、断面略コ字状に形成され、光源装置本体４１Ａの上方側、下方側（−Ｙ軸方向側）、及び後方側を覆う部材である。この第２ハウジング６における前方側の端部には、図３に示すように、第１ハウジング５に固定される第２固定部６１が各第１固定部５４１に対応する位置にそれぞれ設けられている。そして、各第２固定部６１には、各ネジ孔５４１Ａに対応する位置に、孔６１Ａがそれぞれ形成されている。
【００２７】
付勢部材７は、略矩形枠状に形成され、光源装置本体４１Ａを第１ハウジング５に対して付勢する部材である。この付勢部材７の四隅部分には、第１固定部５４１、及び第２固定部６１にて挟持される被挟持部７１がそれぞれ設けられている。そして、各被挟持部７１には、各ネジ孔５４１Ａ、及び各孔６１Ａに対応する位置に、孔７１Ａがそれぞれ形成されている。
そして、第１ハウジング５、第２ハウジング６、及び付勢部材７は、４つのネジ４１７（図４参照）を各孔６１Ａ、及び各孔７１Ａを介して各ネジ孔５４１Ａに螺合することで一体化される。
【００２８】
〔コネクタの保持構造〕
図４は、第１ハウジング５、第２ハウジング６、及び付勢部材７を一体化させた状態を斜め後方側から見た図である。図５は、光源装置４１をＸＹ平面で切断した断面図である。
コネクタ４１５は、図３に示すように、Ｚ軸方向に沿って両側に突出する略直方体状の２つの突出部４１５Ａ，４１５Ｂを有している。すなわち、突出部４１５Ａ，４１５Ｂは、コネクタ４１５の抜出方向Ｃ（＋Ｙ軸方向）と交差する方向に突出している。
第１ハウジング５は、前述した各構成５１〜５４の他、図４に示すように、コネクタ４１５を保持するコネクタ保持手段５５と、光源装置４１を把持させるための取っ手５６とを備える。
【００２９】
コネクタ保持手段５５は、第１ハウジング５の−Ｘ軸方向側の面に設けられ、図３に示すように、開口部５４の後方側の端部から後方側に向かって延出した後、−Ｘ軸方向側に向かって延出する第１支持部５７と、開口部５４の前方側の端部から−Ｘ軸方向側に向かって突出する第２支持部５８とを備える。
第１支持部５７は、コネクタ４１５の−Ｚ軸方向側の突出部４１５Ａを支持する部分であり、コネクタ４１５と対向する面には、Ｚ軸方向に貫通する断面略矩形状の孔５７Ａが形成されている。そして、突出部４１５Ａは、孔５７Ａに挿通されることで支持される。
【００３０】
第２支持部５８は、コネクタ４１５の＋Ｚ軸方向側の突出部４１５Ｂを支持する部分であり、図４、及び図５に示すように、コネクタ４１５と対向する対向部５８１と、対向部５８１と略直交し、取っ手５６が接続される接続部５８２と、対向部５８１、及び接続部５８２に交差し、突出部４１５Ｂの上方側に位置する規制部５８３と、突出部４１５Ｂを挟んで接続部５８２とは反対側に位置し、−Ｘ軸方向に向かって延出する延出部５８４とを備える。
【００３１】
対向部５８１には、上方側に向かって凹む凹部５８１Ａが形成され、この凹部５８１Ａには、突出部４１５Ｂが抜出方向Ｃに沿って下方側から嵌合される。
接続部５８２には、凹部５８１Ａに貫通する貫通孔５８２Ａが形成されている。すなわち、第２支持部５８は、本発明の支持部に相当する。
規制部５８３は、対向部５８１、及び接続部５８２に一体化され、突出部４１５Ｂの抜出方向Ｃへの移動を規制する部分である。
延出部５８４は、貫通孔５８２Ａとともに取っ手５６を下方側から支持する部分であり、貫通孔５８２Ａの下方側の端縁に沿って設けられている。
【００３２】
取っ手５６は、図４、及び図５に示すように、ランプハウジング４１４に沿って延出する湾曲した形状とされ、ランプハウジング４１４を挟んで対向する両端には、互いに平行、かつ、異なる中心軸を有する略円柱状の軸部５６１，５６２がそれぞれ設けられている。具体的に、軸部５６１，５６２は、Ｘ軸に沿って設けられ、Ｚ軸方向の位置が一致し、Ｙ軸方向の位置が異なる中心軸を有している。
【００３３】
軸部５６１は、軸部５６２に対して抜出方向Ｃ側に位置し、図２、及び図５に示すように、第１ハウジング５における＋Ｘ軸方向側の面に形成された孔５Ａに挿通され、回転自在に支持される。
軸部５６２は、図５に示すように、第２支持部５８の貫通孔５８２Ａに挿通され、貫通孔５８２Ａ、及び延出部５８４にて回転自在に支持される。すなわち、取っ手５６は、コネクタ保持手段５５に接続されている。そして、軸部５６２が貫通孔５８２Ａに挿通されることで、凹部５８１Ａに嵌合された突出部４１５Ｂを、凹部５８１Ａ、規制部５８３、及び軸部５６２にて挟持する。すなわち、突出部４１５Ｂは、軸部５６２が貫通孔５８２Ａに挿通された状態で軸部５６２にて係止され、突出部４１５Ｂの少なくとも一部は、軸部５６２に対してコネクタ４１５の抜出方向Ｃ側に位置している。
【００３４】
図６は、取っ手５６をランプハウジング４１４に収納した状態を示す図である。
第１ハウジング５において、各延出部５２の背面（−Ｚ軸方向側の面）には、図６に示すように、後方側に向かって延出し、各延出部５２を補強するための２つの補強面５２１がそれぞれ形成されている。そして、−Ｘ軸方向側の延出部５２から延出する各補強面５２１のうち、＋Ｘ軸方向側の補強面５２１Ａは、他の補強面５２１とは異なり、略矩形状に形成され、上方側の端部に切欠き５２１Ｂが形成されている。
【００３５】
取っ手５６をランプハウジング４１４に収納するに際しては、プロジェクタ１の使用者は、取っ手５６が抜出方向Ｃに向かって起立した状態（図４参照）において、取っ手５６を把持し、＋Ｚ軸方向に沿って移動させることで取っ手５６を回転させて傾斜させた状態とする。そして、取っ手５６を、補強面５２１Ａの切欠き５２１Ｂに嵌合させてランプハウジング４１４に収納する。この際、取っ手５６の各軸部５６１，５６２は、互いに平行、かつ、異なる中心軸を有しているので、取っ手５６には捩れが生じる。
次に、取っ手５６を利用するに際しては、プロジェクタ１の使用者は、取っ手５６がランプハウジング４１４に収納された状態（図６参照）において、取っ手５６を切欠き５２１Ｂから離間させる。取っ手５６は、切欠き５２１Ｂから離間すると、生じていた捩れが元に戻ろうとする力により、抜出方向Ｃに向かって起立した状態に戻る。
【００３６】
以上のような本実施形態によれば、以下の効果がある。
（１）光源装置４１を取り外す際に把持する取っ手５６は、コネクタ４１５を保持するコネクタ保持手段５５に接続されているので、使用者による力をコネクタ４１５に十分に伝えることができ、コネクタ４１５を容易に抜き出すことができる。したがって、光源装置４１を取り外しやすくすることができる。
【００３７】
（２）突出部４１５Ｂは、軸部５６２が貫通孔５８２Ａに挿通された状態で軸部５６２にて係止され、突出部４１５Ｂの少なくとも一部は、軸部５６２に対してコネクタ４１５の抜出方向Ｃ側に位置しているので、使用者による力をコネクタ４１５に直接伝えることができ、光源装置４１を更に取り外しやすくすることができる。
（３）各軸部５６１，５６２は、互いに平行、かつ、異なる中心軸を有しているので、付加を加えて取っ手５６を回転させて傾斜させた状態とすることで光源装置４１を小型化することができる。また、加えられた付加を取り除くことで取っ手５６は抜出方向Ｃに向かって起立した状態に戻るので、使用者は取っ手５６を使用する際に把持しやすくなる。
【００３８】
〔実施形態の変形〕
なお、本発明は前述の実施形態に限定されるものではなく、本発明の目的を達成できる範囲での変形、改良等は本発明に含まれるものである。
前記実施形態では、取っ手５６は、第２支持部５８の貫通孔５８２Ａに軸部５６２が挿通されることでコネクタ保持手段５５に接続されていたが、例えば、コネクタ保持手段に接着剤等で固定することで接続されていてもよい。要するに、取っ手は、コネクタ保持手段に接続されていればよい。
【００３９】
前記実施形態では、凹部５８１Ａは、上方側に向かって凹むように形成されていたが、例えば、下方側に向かって凹むように形成されていてもよい。要するに、凹部は、コネクタの抜出方向に沿って突出部と嵌合すればよい。
前記実施形態では、凹部５８１Ａに嵌合された突出部４１５Ｂを、凹部５８１Ａ、規制部５８３、及び軸部５６２にて挟持していたが、例えば、突出部において、支持部に形成された貫通孔に対応する位置に孔を形成し、貫通孔、及び突出部に形成された孔に軸部を挿通するようにしてもよい。要するに、突出部は、軸部が貫通孔に挿通された状態で軸部にて係止され、突出部の少なくとも一部は、軸部に対して抜出方向側に位置していればよい。
【００４０】
前記実施形態では、取っ手５６は、ランプハウジング４１４に沿って延出する湾曲した形状とされていたが、これ以外の形状であってもよく、例えば、コネクタの抜出方向に向かって突出するコ字状に形成されていてもよい。
前記実施形態では、取っ手５６の軸部５６１，５６２は、Ｘ軸に沿って設けられ、Ｚ軸方向の位置が一致し、Ｙ軸方向の位置が異なる中心軸を有していた。これに対して、例えば、各軸部は、Ｘ軸に沿って設けられ、Ｙ軸方向の位置が一致し、Ｚ軸方向の位置が異なる中心軸を有していてもよい。要するに、各軸部は、互いに平行、かつ、異なる中心軸を有していればよい。
【００４１】
前記実施形態では、プロジェクタ１は、３つの光変調装置４５１を備えていたが、光変調装置を２つ備える光学装置や、光変調装置を４つ以上備える光学装置として構成してもよい。
前記実施形態では、光変調装置４５１は、一対の透明なガラス基板に電気光学物質である液晶が密閉封入され、入射光を透過する構成を採用していたが、これに限らず、入射光を反射する構成の液晶パネル、あるいは、ＤＭＤ(Digital Micromirror Device)(米国テキサスインスツルメント社の商標)等を採用してもよい。
前記実施形態では、光源装置４１を備えるプロジェクタ１を例示したが、例えば、本発明の光学装置をリアプロジェクタ等の他の光学機器に適用してもよい。
【産業上の利用可能性】
【００４２】
本発明は、光源装置に利用でき、特に、プロジェクタに用いられる光源装置に好適に利用できる。
【図面の簡単な説明】
【００４３】
【図１】プロジェクタの概略構成を示す模式図。
【図２】光源装置を斜め前方側から見た分解斜視図。
【図３】光源装置を斜め後方側から見た分解斜視図。
【図４】第１ハウジング、第２ハウジング、及び付勢部材を一体化させた状態を斜め後方側から見た図。
【図５】光源装置をＸＹ平面で切断した断面図。
【図６】取っ手をランプハウジングに収納した状態を示す図。
【符号の説明】
【００４４】
１…プロジェクタ、３…投射レンズ（投射光学装置）、１０…バラストユニット（光源駆動装置）、４１…光源装置、４１Ａ…光源装置本体、５５…コネクタ保持手段、５６…取っ手、５８…第２支持部（支持部）、４１４…ランプハウジング（光源装置用筐体）、４１５…コネクタ、４１５Ａ，４１５Ｂ…突出部、４５１…光変調装置、５６１，５６２…軸部、５８１Ａ…凹部、５８２Ａ…貫通孔。
【図１】
0004609505.tif 000002
【図２】
0004609505.tif 000003
【図３】
0004609505.tif 000004
【図４】
0004609505.tif 000005
【図５】
0004609505.tif 000006
【図６】
0004609505.tif 000007